(57)【要約】【課題】  クールビズの実施に対応し、シャツのボタンの露呈をなくして襟元を飾る任意の装飾体に取替え可能な装身具を提供する。【解決手段】    下面にシャツのボタンＡに着脱自在に係合するボタン保持部３を備えた短筒状凸部１ａ内に第１の磁石２を固着した第１の保持具１と、該第１の保持具１の短筒状凸部１ａに嵌合する内部に第２の磁石５を固着した短筒状凹部４ａを有する第２の保持具４と、該第２の保持具４に取り付けられる任意の装飾体７とで構成される。【選択図】  図１
0003176446.tif 000002
【実用新案登録請求の範囲】
【請求項１】
下面にシャツのボタンＡに着脱自在に係合するボタン保持部３を備えた短筒状凸部１ａ内に第１の磁石２を固着した第１の保持具１と、該第１の保持具１の短筒状凸部１ａに嵌合する内部に第２の磁石５を固着した短筒状凹部４ａを有する第２の保持具４と、該第２の保持具４に取り付けられる任意の装飾体７とからなる装身具。
【請求項２】
前記ボタン保持部３は、第１の保持具１の下面に取り付けられ、シャツのボタンＡを挟み込むＷ字状の係止枠片３ａにて構成される請求項１に記載の装身具。
【請求項３】
前記ボタン保持部３は、第１の保持具１の下面に取り付けられ、シャツのボタンＡを挟み込むヒンジ３ｆにより開閉される一対のフック片３ｇを備えた係止片３ｈにて構成される請求項１に記載の装身具。
【請求項４】
前記ボタン保持部３は、第１の保持具１の下面に取り付けられ、シャツのボタンＡを挟み込む第１の保持具１の下面の枠壁１ｂより延出する２枚の係止片３ｉにて構成される請求項１に記載の装身具。
【請求項５】
前記第２の保持具４はベース部６を備え、該ベース部６に任意の装飾体７が縫着又は接着により固定される請求項１に記載の装身具。
【考案の詳細な説明】
【技術分野】
【０００１】
本考案は、ワイシャツ等の衣服のボタンに装着でき、任意な装飾体に取替え自在な装身具に関する。
【背景技術】
【０００２】
近時、夏時期に所謂「クールビズ」の実施によりワイシャツ着用時にネクタイを省略する軽装が定着している。しかし、通常のワイシャツ（以下、単にシャツという。）で第１ボタンを外して襟元を開襟するとシャツの襟がはだけて見てくれの悪い場合がある。特に、人と接する機会の多い場合、軽装とは言え身嗜みに関心を払わざるを得ない場合がある。これを改善するため、例えば、特許文献１に示すようなシャツの襟がはだけないようにしたベルト部の両端部に磁石を固定した装身具が提案されている。また、特許文献２に示すようにシャツのボタンに開閉自在な蓋体を掛けてボタンを覆って止める装身具が提案されている。
【先行技術文献】
【特許文献】
【０００３】
【特許文献１】実用新案登録第３１７２２０１号公報
【特許文献２】実用新案登録第３０２７２４８号公報
【考案の概要】
【考案が解決しようとする課題】
【０００４】
しかしながら、特許文献１の装身具にあっては襟がはだけないようにシャツの身頃部の生地をベルトで挟んで対向する磁石の吸着力で止めるに止まり、装飾性に欠ける点は否めない。また、特許文献２の装身具にあってはシャツのボタンを被覆するアクセサリーである点でボタン自体の露呈は防ぐが、アクセサリーとしては変化に乏しい。
【０００５】
本考案は、このような課題を考慮してなされたものであり、クールビズの実施によりノーネクタイになった場合でも、シャツの襟元が見苦しくならない装身具を提供することを目的とする。また、本考案の目的はシャツのボタンに係合されるボタン係止具を備えた保持具を有し、ボタンの露呈をなくすと共に保持具に嵌合する任意の装飾体を取付けた第２の保持具を、夫々の保持具に設けた磁石の吸着力により簡単に取付け取り外しのできる装身具を提供することでもある。更に、本考案の目的は、装飾体を取り付けた保持具がずれたり、脱落したりすることのない装身具を提供することでもある。
【課題を解決するための手段】
【０００６】
上記目的を達成するため、請求項１記載の装身具は、下面にシャツのボタンに着脱自在に係合するボタン保持部を備えた短筒状の凸部内に第１の磁石を固着した第１の保持具と、該第１の保持具の凸部に嵌合する内部に第２の磁石を固着した短筒状の凹部を有する第２の保持具と、該第２の保持具のベース部に固定される任意の装飾体とから構成される。
【０００７】
請求項２記載の装飾具は、請求項１に記載の装身具であって、ボタン係止具３は第１の保持具１の下面に取り付けられ、シャツのボタンを挟み込むＷ字状の係止枠片３ａにて構成されている。
【０００８】
請求項３記載の装身具は、請求項１に記載の装身具であって、ボタン係止具３は第１の保持具の下面に取り付けられ、シャツのボタンを挟み込むヒンジにより開閉される一対のフック片を備えた係止片にて構成される。
【０００９】
請求項４記載の装身具は、請求項１に記載の装身具であって、ボタン係止具３は第１の保持具の下面に取り付けられ、シャツのボタンを挟み込む第１の保持具１の下面の枠壁より延出する２枚の係止片にて構成される。
【００１０】
請求項５記載の装身具は、請求項１に記載の装身具であって、第２の保持具のベース部に縫着又は接着により固定される任意の装飾体で構成されている。
【考案の効果】
【００１１】
本考案によれば、シャツのボタンに係合して取付けられた第１の保持具の短筒状凸部内の磁石と、該第１の保持具の短筒状凸部に嵌合される内部に第２の磁石を有する短筒状凹部を備えた第２の保持部とが凹凸で嵌合され、しかも第１の保持具と第２の保持具は内蔵する磁石により互いに吸着し固定され、第２の保持部に固着された装飾体により襟元の装飾効果を発揮するため、クールビズの実施によりノーネクタイの軽装になっても、襟元が見苦しくない装身具となる。装飾体は任意のものを選択し、第２の保持部に縫着又は接着により固着することができるのでアクセサリーとしての変化に富む。更に、第１の保持部と第２の保持部はそれぞれの短筒状凹凸部を嵌合するだけで内部の磁石により固定されるため、着用中に装飾体がずれたり、脱落したりすることがない。
【図面の簡単な説明】
【００１２】
【図１】本考案の実施例を示す第１の保持具と第２の保持具及び装飾体の説明図である。
【図２】本考案のボタン保持部を備えた第１の保持具を底面から見た状態で、係止枠片を展開した状態の説明図である。
【図３】ボタン保持部がボタンを係合した第１の保持具の正面図である。
【図４】第１の保持具と第２の保持具の取付け状態の拡大断面図である。
【図５】シャツの第１ボタンに第１の保持具を取付けた状態の正面図である。
【図６】装飾体の例を示す斜視図であり、（ａ）は予め結び目を形成したネクタイを装飾体とし、その結び目の背面に第２の保持具を取付けた斜視図、（ｂ）は宝玉を装飾体とし、その背面に第２の保持具を取付けた斜視図、（ｃ）は蝶ネクタイ状のコラージュを装飾体とし、その背面に第２の保持具を取付けた斜視図である。
【図７】本考案の第２の実施例を示すもので、第１の保持具の下面に取り付くボタン保持部を展開して示す底面から見た説明図である。
【図８】同第２の実施例の第１の保持具と第２の保持具の取付け状態を示す説明図である。
【図９】本考案の第３の実施例を示すもので、第１の保持具の下面に取り付くボタン保持部を示す底面から見た説明図である。
【図１０】同第３の実施例の内部構造を示す図９のＡ−Ａ断面図である。
【考案を実施するための形態】
【００１３】
以下、本考案を図示する実施形態により具体的に説明する。図１は、本考案の第１の実施例の全体構成を示しており、第１の保持具１は上部に短筒状凸部１ａを有しその内部に第１の磁石２が固着され、下部も短筒状に形成されボタン保持部３が取り付けられ、シャツのボタンＡの下面にボタン保持部３の係止枠片３ａが圧入されボタンＡに第１の保持具１が係止されるようになっている。
【００１４】
４は第１の保持具１の上面の短筒状凸部１ａに嵌合する短筒状凹部４ａを有する第２の保持具で、該短筒状凹部４ａの内部に第２の磁石５が固着されていると共に、上面にはベース６が設けられ、必要により形成された糸通し穴８に留め糸を通すことより任意の装飾体７が固着される。尚、糸通し穴８はなくてもよく、任意の装飾体７はベース６に接着するようにしてもよい。
【００１５】
前記ボタン保持部３は図２、図３に示すように弾発を有する線材をＷ字状に湾曲して係止枠片３ａが形成されており、両端末部３ｂは第１の保持具１の下面の枠壁１ｂに穿設された係止孔１ｃを介して回動可能に取り付けられている。係止枠片３ａはリング状に曲折した中央部をボタン係止部３ｃとし、房状に膨出した２つの突出枠３ｄが拡開してボタン案内部３ｅを形成している。
【００１６】
次に、本考案の作用を説明すると次の通りである。
第１の保持具１をボタンＡに係止する場合、図２に示す底面側となる係止枠片３ａのボタン案内部３ｅをボタンＡの下面に宛がい、ボタンＡとシャツの生地とを縫い付けた留め糸（図示略）の回りに押し込むと、リング状に曲折された中央部のボタン係止部３ｃに留め糸が当接して止まり、ボタン留め糸を抱き込むようにして第１の保持具１はボタンＡに固定される。次いで、ボタンＡを下面に挟んだ状態で第１の保持具１を反転させると、図３に示すようにボタンＡは第１の保持具１の下面の枠壁１ｂ内に収容され、ボタン保持部３のＷ字状に湾曲した係止枠片３ａが第１の保持具１の下面の枠壁１ｂに切り欠かれた切欠部１ｃに嵌合して確実に固定される。
【００１７】
尚、第１の保持具１をボタンＡから外すときは前記と逆に、切欠部１ｃに嵌合した係止枠片３ａを持ち上げるようにして外し、第１の保持具１を反転させることでボタンＡより取り外すことができる。
【００１８】
次に、ベース部６に任意の装飾体７を縫着又は接着により取り付けた第２の保持具４を、第１の保持具１の短筒状凸部１ａに嵌合させると第２の保持具４は下面が短筒状凹部４ａとしており、内部に第２の磁石５が固着されているため、第１の保持具１の第１の磁石２と吸着して第１の保持具１と第２の保持具４とが固定される。そして、第１の保持具１と第２の保持具４とは互いに凹凸の短筒状をなして嵌合されるため、前記両磁石の吸着と相俟って確実に固定され、装飾体７を取り付けて着用していても第２の保持具４がずれたり、脱落したりすることがない。
【００１９】
装飾体７は図示の例では結びネクタイ状、宝玉形状、蝶ネクタイ風のコサージュとして示したが、装飾体の種類や形状には拘束されることはなく、当人が好む任意の種類や形状の装飾体７とすることが出来る。
【００２０】
次に図７、図８に示す第２の実施例について説明するが、前記第１の実施例と同じ構成部分は同一の符号を付しており説明は省略する。図７は第１の保持体１の下面に形成されたボタン保持部３の他の実施例の背面側から見た図で、係止片３ｈがヒンジ３ｆにより展開自在に取り付けられている。係止片３ｈは円盤状の薄板で形成され、中央に略円形のボタン係止部３ｃを切り欠き、先端がボタン案内部３ｅとして解放され、基部がヒンジ３ｆにより第１の保持部１の底面の枠壁１ｂに連結されている。３ｇは係止片３ｈを枠壁１ｂに固定する一対のフックである。
【００２１】
次に、図９、図１０に示す第３の実施例について説明するが、前記第１の実施例と同じ構成部分は同一の符号を付しており、重ねての説明は省略する。図９は第１の保持体１の下面に形成されたボタン保持部３の他の実施例の背面側から見た図で、係止片３ｉが枠壁１ｂより延出する２枚の薄板状部材で形成され、中央に略円形のボタン係止部３ｃを切り欠き、先端が拡開して解放されボタン案内部３ｅを形成している。
【００２２】
尚、以上の実施例では第１の保持具１が短筒状凸部１ａを有し、第２の保持具４が短筒状凹部４ａを有し、両者の保持具１、４が互いに凹凸で嵌合して固定される構成を示したが、第１の保持具１と第２の保持具４の短筒状の凹凸は逆の構成でもよい。即ち、第１の保持具１の短筒状凹部に第２の保持具４の短筒状凸部が凹凸で嵌合することでも同様の作用、効果を得ることができる。
【符号の説明】
【００２３】
１    第１の保持具
１ａ  短筒状凸部
１ｂ  枠壁
１ｃ  切欠部
２    第１の磁石
３    ボタン保持部
３ａ  係止枠片
３ｂ  端末部
３ｅ  案内部
３ｆ  ヒンジ
３ｇ  フック片
３ｈ、３ｉ  係止片
４    第２の保持具
４ａ  短筒状凹部
５    第２の磁石
６    ベース部
７    装飾体
Ａ    ボタン
【図１】
0003176446.tif 000003
【図２】
0003176446.tif 000004
【図３】
0003176446.tif 000005
【図４】
0003176446.tif 000006
【図５】
0003176446.tif 000007
【図６】
0003176446.tif 000008
【図７】
0003176446.tif 000009
【図８】
0003176446.tif 000010
【図９】
0003176446.tif 000011
【図１０】
0003176446.tif 000012